(57)【要約】【課題】ユーザの関心や興味により合致した関連コンテンツをユーザに対して配信する。【解決手段】本発明に係るコンテンツ配信装置２０は、ユーザ端末１０のユーザによる表示コンテンツの閲覧操作に関する情報である閲覧操作情報をユーザ端末１０から取得する取得部２１と、取得部２１により取得された閲覧操作情報に基づき、表示コンテンツにおけるユーザの興味エリアを特定し、特定した興味エリアのコンテンツに関連する関連コンテンツをユーザ端末１０に配信する制御部２２と、を備える。【選択図】図２
2018085037.tif 000002
【特許請求の範囲】
【請求項１】
表示部を備えるユーザ端末における表示対象である表示コンテンツに関連する関連コンテンツを前記ユーザ端末に配信するコンテンツ配信装置であって、
前記ユーザ端末のユーザによる前記表示コンテンツの閲覧操作に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備えることを特徴とするコンテンツ配信装置。
【請求項２】
請求項１に記載のコンテンツ配信装置において、
前記制御部は、前記取得部により取得された閲覧操作情報に基づき、前記表示コンテンツの特定エリアが第１の閾値時間以上、前記表示部に表示されていると判定した場合には、前記特定エリアを前記興味エリアとして特定することを特徴とするコンテンツ配信装置。
【請求項３】
請求項２に記載のコンテンツ配信装置において、
前記制御部は、前記特定エリアが前記第１の閾値時間よりも長い第２の閾値時間以上、前記表示部に表示されていると判定した場合には、前記特定エリアを前記興味エリアとして特定しないことを特徴とするコンテンツ配信装置。
【請求項４】
請求項１に記載のコンテンツ配信装置において、
前記制御部は、前記取得部により取得された閲覧操作情報に基づき、前記表示コンテンツの第１の位置から第２の位置までを表示するのに所定時間以上経過したと判定した場合には、前記第１の位置から前記第２の位置までのエリアを前記興味エリアとして特定することを特徴とするコンテンツ配信装置。
【請求項５】
請求項１に記載のコンテンツ配信装置において、
前記制御部は、前記取得部により取得された閲覧操作情報に基づき、前記表示コンテンツの特定エリアを表示するために、前記表示コンテンツにおける前記表示部に表示される表示エリアを所定の方向にスライドさせるスクロール操作と、前記表示エリアを前記所定の方向とは逆方向にスライドさせるスクロール操作とが行われていると判定した場合には、前記特定エリアを前記興味エリアとして特定することを特徴とするコンテンツ配信装置。
【請求項６】
請求項１に記載のコンテンツ配信装置において、
前記制御部は、前記取得部により取得された閲覧操作情報に基づき、前記表示コンテンツの特定エリアを拡大する拡大操作が行われたと判定した場合には、前記特定エリアを前記興味エリアとして特定することを特徴とするコンテンツ配信装置。
【請求項７】
請求項１に記載のコンテンツ配信装置において、
前記制御部は、前記取得部により取得された閲覧操作情報に基づき、前記表示コンテンツの特定エリアを選択する選択操作が行われたと判定した場合には、前記特定エリアを前記興味エリアとして特定することを特徴とするコンテンツ配信装置。
【請求項８】
表示部を備えるユーザ端末と、前記ユーザ端末における表示対象である表示コンテンツに関連する関連コンテンツを前記ユーザ端末に配信するコンテンツ配信装置とを備え、
前記コンテンツ配信装置は、
前記ユーザ端末のユーザによる前記表示コンテンツの閲覧操作に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備え、
前記ユーザ端末は、前記表示コンテンツとともに、前記コンテンツ配信装置から配信された関連コンテンツを前記表示部に表示することを特徴とするコンテンツ配信システム。
【発明の詳細な説明】
【技術分野】
【０００１】
本発明は、表示コンテンツに関連する関連コンテンツをユーザ端末に配信するコンテンツ配信装置およびコンテンツ配信システムに関する。
【背景技術】
【０００２】
Ｗｅｂサイトなどの表示対象のコンテンツ（表示コンテンツ）をユーザ端末で表示する際に、ユーザの嗜好に合わせた広告を表示コンテンツとともに表示する行動ターゲティング広告と称される技術がある（例えば、特許文献１参照）。行動ターゲティング広告は、Ｗｅｂサイトを訪れた個々のユーザを識別・追跡してユーザに関する情報（検索履歴、Ｗｅｂサイトの閲覧履歴、広告のクリック履歴、広告の表示履歴、商品の購入履歴など）を収集し、収集した情報に基づきユーザの嗜好や興味を推定し、推定したユーザの嗜好や興味に関連する広告を表示する技術である。
【先行技術文献】
【特許文献】
【０００３】
【特許文献１】特開２０１６−０５１２８５号公報
【発明の概要】
【発明が解決しようとする課題】
【０００４】
上述した行動ターゲティング広告では、ユーザの過去の履歴に基づく固定的な広告しか表示されず、ユーザの現在の関心や興味に関連する広告やレコメンドなどの関連コンテンツをユーザに対して配信することができない。
【０００５】
Ｗｅｂサイトなどに含まれるテキストを解析してキーワードを抽出し、抽出したキーワード、あるいは、抽出したキーワードと類似の概念の語句に関連する広告やレコメンドをユーザに対して呈示する技術もある。しかしながら、この技術では、表示コンテンツ全体が解析の対象となり、表示コンテンツの中でも、ユーザが実際に関心や興味を示した内容に関連する関連コンテンツをユーザに対して配信することは困難である。
【０００６】
本発明の目的は、上述した課題を解決し、ユーザの関心や興味に、より合致した関連コンテンツをユーザに対して配信することができるコンテンツ配信装置およびコンテンツ配信システムを提供することにある。
【課題を解決するための手段】
【０００７】
上記課題を解決するため、本発明に係るコンテンツ配信装置は、表示部を備えるユーザ端末における表示対象である表示コンテンツに関連する関連コンテンツを前記ユーザ端末に配信するコンテンツ配信装置であって、前記ユーザ端末のユーザによる前記表示コンテンツの閲覧操作に関する情報である閲覧操作情報を前記ユーザ端末から取得する取得部と、前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備える。
【０００８】
また、上記課題を解決するため、本発明に係るコンテンツ配信システムは、表示部を備えるユーザ端末と、前記ユーザ端末における表示対象である表示コンテンツに関連する関連コンテンツを前記ユーザ端末に配信するコンテンツ配信装置とを備え、前記コンテンツ配信装置は、前記ユーザ端末のユーザによる前記表示コンテンツの閲覧操作に関する情報である閲覧操作情報を前記ユーザ端末から取得する取得部と、前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備え、前記ユーザ端末は、前記表示コンテンツとともに、前記コンテンツ配信装置から配信された関連コンテンツを前記表示部に表示する。
【発明の効果】
【０００９】
本発明に係るコンテンツ配信装置およびコンテンツ配信システムによれば、ユーザの関心や興味に、より合致した関連コンテンツをユーザに対して配信することができる。
【図面の簡単な説明】
【００１０】
【図１】本発明の一実施形態に係るコンテンツ配信システムの構成例を示す図である。
【図２】図１に示すユーザ端末の表示部におけるコンテンツの表示例を示す図である。
【図３】図１に示すコンテンツ配信装置の構成例を示す図である。
【図４】図１に示すコンテンツ配信装置による興味エリアの特定動作の一例を示すフローチャートである。
【図５】図１に示すコンテンツ配信装置による興味エリアの特定動作の別の一例を示すフローチャートである。
【図６】図１に示すコンテンツ配信装置による興味エリアの特定動作のさらに別の一例を示すフローチャートである。
【発明を実施するための形態】
【００１１】
以下、本発明の実施の形態について説明する。
【００１２】
図１は、本発明の一実施形態に係るコンテンツ配信システム１の構成例を示す図である。
【００１３】
図１に示すコンテンツ配信システム１は、ユーザ端末１０と、ユーザ端末１０と通信可能なコンテンツ配信装置２０とを備える。
【００１４】
ユーザ端末１０は、スマートフォン、携帯電話、タブレット端末、パーソナルコンピュータなどのユーザにより使用される端末である。ユーザ端末１０は、表示部を備えており、Ｗｅｂサイトなどのコンテンツの閲覧がユーザから要求されると、閲覧を要求されたコンテンツの配信をコンテンツ配信装置２０に要求し、その要求に応じて配信されたコンテンツを表示部に表示する。
【００１５】
コンテンツ配信装置２０は、ネットワーク上に配置されたサーバ装置などであり、ユーザ端末１０からの要求に応じて、コンテンツをユーザ端末１０に配信する。ここで、コンテンツ配信装置２０は、ユーザが閲覧を要求したコンテンツ（表示対象である表示コンテンツ）とともに、表示コンテンツにおける、ユーザが興味・関心のある興味エリアを特定し、特定した興味エリアに含まれるテキスト、画像、動画などのコンテンツに関連する広告やレコメンドなどの関連コンテンツをユーザ端末１０に配信する。
【００１６】
図２は、ユーザ端末１０の表示部１１の表示例を示す図である。コンテンツ配信装置２０の配信に応じて、ユーザ端末１０の表示部１１には、図２に示すように、表示対象である表示コンテンツ１２と関連コンテンツ１３とが表示される。なお、通常、Ｗｅｂサイトなどの表示コンテンツの全体が、ユーザ端末１０の表示部１１に一度に表示されることは少なく、表示コンテンツの一部のエリアだけが表示部１１に表示される。ユーザは、表示コンテンツにおいて表示部１１に表示される表示エリアを所定の方向（例えば、上下方向や左右方向）にスライドさせるスクロール操作を行うことで、表示エリアを移動させながら表示コンテンツを閲覧する。
【００１７】
次に、コンテンツ配信装置２０の構成について説明する。なお、ユーザ端末１０は、コンテンツ配信装置２０との通信機能、コンテンツ配信装置２０から配信されたコンテンツを表示部１１で表示するブラウザ機能、ユーザからの操作入力を受け付ける入力機能などを備えているが、このような機能を備える端末の構成は当業者によく知られているため、説明を省略する。
【００１８】
図３は、コンテンツ配信装置２０の構成例を示す図である。
【００１９】
コンテンツ配信装置２０は、取得部２１と、制御部２２とを備える。なお、図３においては、関連コンテンツをユーザ端末１０に配信するための構成について記載し、他の構成については記載を省略している。
【００２０】
取得部２１は、ユーザ端末１０の表示部１１に表示された表示コンテンツのユーザによる閲覧操作に関する情報である閲覧操作情報をユーザ端末１０から取得（受信）し、制御部２２に出力する。上述したように、表示コンテンツの一部のエリアだけが表示部１１に表示され、ユーザは、表示コンテンツの表示エリアを移動（スライド）させるスクロール操作を行いながら、表示コンテンツを閲覧する。表示コンテンツの表示エリアの位置や、その表示エリアの表示時間などの情報が、閲覧操作情報として、ユーザ端末１０からコンテンツ配信装置２０に送信される。なお、このような閲覧操作情報のユーザ端末１０からの送信は、ユーザ端末１０のブラウザ上で実行されるＪａｖａｓｃｒｉｐｔ（登録商標）などにより実現される。また、例えば、ニュース配信アプリケーションなどの、ユーザ端末１０にインストール（搭載）されたアプリケーション（ローカルアプリケーション）が、閲覧操作情報を収集し、コンテンツ配信装置２０に送信する機能を備えていてもよい。
【００２１】
制御部２２は、取得部２１が取得した閲覧操作情報に基づき、表示コンテンツにおいて、ユーザが実際に閲覧し、興味・関心のあるエリア（興味エリア）を特定する。制御部２２は、特定した興味エリアに含まれるテキスト、画像、動画などのコンテンツに関連する広告やレコメンドなどの関連コンテンツを特定し、特定した関連コンテンツをユーザ端末１０に配信する。
【００２２】
上述したように、通常、ユーザは、表示コンテンツにおける表示エリアを移動させる操作を行いながら、表示コンテンツを閲覧する。そのため、ユーザの閲覧操作情報を解析することで、ユーザが表示コンテンツにおいて実際に閲覧した、すなわち、興味・関心のある興味エリアを特定することができる。そして、興味エリアのコンテンツに関連する関連コンテンツを配信することで、実際のユーザの関心や興味により合致した関連コンテンツをリアルタイムに配信することができる。
【００２３】
なお、関連コンテンツの特定方法としては、例えば、関連コンテンツにテキストが含まれる場合には、そのテキストからキーワードを抽出し、抽出したキーワード、あるいは、抽出したキーワードと類似の概念の語句を含むコンテンツを関連コンテンツとして特定する方法がある。また、別の方法として、キーワードの登場回数、キーワードに関連する周辺語などから複数のコンテンツ（ドキュメント）間の関連性を算出し、興味エリアのテキストに概念的に類似するコンテンツを関連コンテンツとして特定する方法などもある。関連コンテンツの特定方法は、これらの方法に限られるものではなく、種々の方法を適用することが可能である。
【００２４】
次に、コンテンツ配信装置２０による表示コンテンツにおける興味エリアの特定動作について説明する。なお、一般的に、Ｗｅｂサイトなどのコンテンツには、５００〜２０００文字程度のテキストと画像とが含まれることが多く、ユーザ端末１０の表示部１１で一度に表示されるエリアの数倍程度の大きさを有する。そのため、上述したように、ユーザは通常、表示コンテンツの表示エリアを所定の方向にスライドさせるスクロール操作を行い、表示コンテンツを閲覧する。以下では、ユーザは、スクロール操作を行いつつ、表示コンテンツを閲覧するものとして説明する。
【００２５】
図４は、コンテンツ配信装置２０による興味エリアの特定動作の一例を示すフローチャートである。
【００２６】
取得部２１は、ユーザ端末１０からユーザの閲覧操作情報を定期的に取得する（ステップＳ３１）。
【００２７】
制御部２２は、取得部２１が取得した閲覧操作情報に基づき、表示コンテンツの特定エリアが所定の閾値時間（第１の閾値時間）以上、表示されているか否かを判定する（ステップＳ３２）。
【００２８】
特定エリアが所定の閾値時間以上表示されていると判定した場合には（ステップＳ３２：Ｙｅｓ）、制御部２２は、特定エリアを興味エリアとして特定する（ステップＳ３３）。
【００２９】
表示コンテンツの特定エリアが長時間表示されている場合、ユーザがその特定エリアのコンテンツを閲覧している可能性が高い。そこで、表示コンテンツの特定エリアが所定の閾値時間以上表示されている場合、その特定エリアを興味エリアとして特定することで、表示コンテンツにおいて、ユーザが実際に閲覧し、興味・関心を持っている可能性が高いエリアを興味エリアとして特定することができる。
【００３０】
制御部２２は、特定した興味エリアに含まれるテキスト、画像、動画などのコンテンツを解析し、興味エリアに含まれるコンテンツに関連する関連コンテンツをユーザ端末１０に配信する（ステップＳ３４）。
【００３１】
特定エリアが所定の閾値時間以上表示されていないと判定した場合には（ステップＳ３２：Ｎｏ）、制御部２２は、処理を終了する。
【００３２】
なお、制御部２２は、表示コンテンツの特定エリアが第１の閾値時間よりも長い閾値時間（第２の閾値時間）以上表示されている場合には、特定エリアは興味エリアではないと判定するようにしてもよい。
【００３３】
表示コンテンツの特定エリアが表示されたままで長時間経過している場合、ユーザがその特定エリアに含まれるコンテンツを閲覧しているのではなく、特定エリアを表示させたままで放置していることも考えられる。そのため、特定エリアが表示されたままで長時間経過している場合、その特定エリアを興味エリアではないと判定することで、ユーザの嗜好や興味から外れた広告やレコメンドが呈示される可能性を低減することができる。
【００３４】
図５は、コンテンツ配信装置２０による興味エリアの特定動作の別の一例を示すフローチャートである。なお、図５において、図４と同様の処理については同じ符号を付し、説明を省略する。
【００３５】
制御部２２は、取得部２１が取得した閲覧操作情報に基づき、表示コンテンツの第１の位置から第２の位置までを表示するのに所定時間以上経過しているか否かを判定する（ステップＳ４１）。
【００３６】
表示コンテンツの第１の位置から第２の位置までを表示するのに所定時間以上経過していると判定した場合には（ステップＳ４１：Ｙｅｓ）、制御部２２は、表示コンテンツの第１の位置から第２の位置までのエリアを興味エリアとして特定する（ステップＳ４２）。
【００３７】
表示コンテンツに含まれるテキストの文字数などから、その表示コンテンツをユーザが読み終わるまでの時間（読み終わり時間）を推定することができる。例えば、表示コンテンツの読み終わり時間が１分であるとすると、表示コンテンツの先頭（第１の位置）から、表示コンテンツ全体の半分の位置（第２の位置）までユーザが読むには、およそ３０秒かかると推定することができる。ここで、表示コンテンツの先頭（第１の位置）から表示コンテンツ全体の半分の位置（第２の位置）まで表示されるのに、所定時間（３０秒）以上経過している場合、ユーザは、表示コンテンツの先頭から表示コンテンツ全体の半分の位置までのエリアについて、時間をかけて閲覧している可能性が高い。そこで、表示コンテンツの第１の位置から第２の位置までを表示するのに所定時間以上経過している場合、第１の位置から第２の位置までのエリアを興味エリアとして特定することで、表示コンテンツにおいて、ユーザが実際に閲覧し、興味・関心を持っている可能性が高いエリアを興味エリアとして特定することができる。
【００３８】
表示コンテンツの第１の位置から第２の位置までを表示するのに所定時間以上経過していないと判定した場合には（ステップＳ４１：Ｎｏ）、制御部２２は、処理を終了する。
【００３９】
なお、第１の位置および第２の位置は、上述した例に限られるものではなく、適宜、設定することができる。また、ステップＳ４１の判定に用いる閾値時間は、表示コンテンツの第１の位置および第２の位置に応じて適宜、設定することができる。また、ステップＳ４１の判定に用いる閾値時間は、表示コンテンツ全体のテキスト量に応じて適宜、設定することができる。
【００４０】
図６は、コンテンツ配信装置２０による興味エリアの特定動作のさらに別の一例を示すフローチャートである。なお、図６において、図４と同様の処理については同じ符号を付し、説明を省略する。
【００４１】
制御部２２は、取得部２１が取得した閲覧操作情報に基づき、表示コンテンツの特定エリアを表示するために、表示コンテンツにおける表示エリアをスライドさせるスクロール操作が行われ、その後、表示エリアを逆方向にスライドさせる逆方向のスクロール操作が行われたか否かを判定する（ステップＳ５１）。
【００４２】
表示コンテンツの特定エリアを表示するために、スクロール操作と、逆方向のスクロール操作とが行われたと判定した場合には（ステップＳ５１：Ｙｅｓ）、制御部２２は、特定エリアを興味エリアとして特定する（ステップＳ５２）。
【００４３】
表示コンテンツの特定エリアを表示するために、スクロール操作と、逆方向のスクロール操作とが行われている場合、ユーザが、表示コンテンツにおけるテキストなどを読み進め、その後、特定エリアまで戻って特定エリアのテキストなどを再度、閲覧している可能性が高い。そこで、表示コンテンツの特定エリアを表示するために、スクロール操作と、逆方向のスクロール操作とが行われている場合、その特定エリアを興味エリアとして特定することで、表示コンテンツにおいて、ユーザが実際に閲覧し、興味・関心を持っている可能性が高いエリアを興味エリアとして特定することができる。
【００４４】
表示コンテンツの特定エリアを表示するために、スクロール操作と、逆方向のスクロール操作とが行われていないと判定した場合には（ステップＳ５１：Ｎｏ）、制御部２２は、処理を終了する。
【００４５】
なお、興味エリアの特定方法は、上述した例に限られるものではなく、例えば、表示コンテンツの一部のエリアを拡大する拡大操作が行われると、その拡大操作により拡大されたエリアを興味エリアとして特定してもよい。また、表示コンテンツに画像が含まれている場合、その画像を解析し、その画像に含まれる物体に関連する関連コンテンツを配信するようにしてもよい。また、コピー、検索などのために、表示コンテンツの一部のエリアを選択する選択操作が行われると、その選択操作により選択されたエリアを興味エリアとして特定してもよい。
【００４６】
このように本実施形態においては、コンテンツ配信装置２０は、ユーザ端末１０のユーザによる表示コンテンツの閲覧操作に関する情報である閲覧操作情報を取得する取得部２１と、取得部２１により取得された閲覧操作情報に基づき、表示コンテンツにおけるユーザが興味のある興味エリアを特定し、特定した興味エリアのコンテンツに関連する関連コンテンツをユーザ端末１０に配信する制御部２２と、を備える。
【００４７】
閲覧操作情報に基づき、表示コンテンツにおいて、ユーザが実際に閲覧し、興味・関心のある興味エリアを特定することできる。そのため、特定した興味エリアに関連する関連コンテンツを配信することで、ユーザの関心や興味により合致した関連コンテンツをリアルタイムにユーザに対して配信することができる。
【００４８】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。例えば、各ブロックなどに含まれる機能などは論理的に矛盾しないように再配置可能であり、複数のブロックを１つに組み合わせたり、或いは分割したりすることが可能である。
【符号の説明】
【００４９】
１    コンテンツ配信システム
１０    ユーザ端末
２０    コンテンツ配信装置
２１    取得部
２２    制御部
【図１】
2018085037.tif 000003
【図２】
2018085037.tif 000004
【図３】
2018085037.tif 000005
【図４】
2018085037.tif 000006
【図５】
2018085037.tif 000007
【図６】
2018085037.tif 000008
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
表示部を備えるユーザ端末における表示対象である表示コンテンツに関連する関連コンテンツを前記ユーザ端末に配信するコンテンツ配信装置であって、
前記ユーザ端末のユーザによる前記表示コンテンツにおける前記表示部に表示される表示エリアを移動させる閲覧操作に応じた前記表示エリアの位置および前記表示エリアの表示時間に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備えることを特徴とするコンテンツ配信装置。
【請求項２】
請求項１に記載のコンテンツ配信装置において、
前記制御部は、前記取得部により取得された閲覧操作情報に基づき、前記表示コンテンツの特定エリアが第１の閾値時間以上、前記表示部に表示されていると判定した場合には、前記特定エリアを前記興味エリアとして特定することを特徴とするコンテンツ配信装置。
【請求項３】
請求項２に記載のコンテンツ配信装置において、
前記制御部は、前記特定エリアが前記第１の閾値時間よりも長い第２の閾値時間以上、前記表示部に表示されていると判定した場合には、前記特定エリアを前記興味エリアとして特定しないことを特徴とするコンテンツ配信装置。
【請求項４】
請求項１に記載のコンテンツ配信装置において、
前記制御部は、前記取得部により取得された閲覧操作情報に基づき、前記表示コンテンツの第１の位置から第２の位置までを表示するのに所定時間以上経過したと判定した場合には、前記第１の位置から前記第２の位置までのエリアを前記興味エリアとして特定することを特徴とするコンテンツ配信装置。
【請求項５】
請求項４に記載のコンテンツ配信装置において、
前記制御部は、前記表示コンテンツの全体の閲覧に要すると推定される時間と、前記表示コンテンツにおける前記第１の位置と前記第２の位置とに応じて前記所定時間を設定することを特徴とするコンテンツ配信装置。
【請求項６】
表示部を備えるユーザ端末における表示対象である表示コンテンツに関連する関連コンテンツを前記ユーザ端末に配信するコンテンツ配信装置であって、
前記ユーザ端末のユーザによる前記表示コンテンツにおける前記表示部に表示される表示エリアを移動させる閲覧操作に応じた前記表示エリアの位置に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備え、
前記制御部は、前記取得部により取得された閲覧操作情報に基づき、前記表示コンテンツの特定エリアを表示するために、前記表示コンテンツにおける前記表示部に表示される前記表示エリアを所定の方向にスライドさせるスクロール操作と、前記表示エリアを前記所定の方向とは逆方向にスライドさせるスクロール操作とが行われていると判定した場合には、前記特定エリアを前記興味エリアとして特定することを特徴とするコンテンツ配信装置。
【請求項７】
表示部を備えるユーザ端末と、前記ユーザ端末における表示対象である表示コンテンツに関連する関連コンテンツを前記ユーザ端末に配信するコンテンツ配信装置とを備え、
前記コンテンツ配信装置は、
前記ユーザ端末のユーザによる前記表示コンテンツにおける前記表示部に表示される表示エリアを移動させる閲覧操作に応じた前記表示エリアの位置および前記表示エリアの表示時間に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備え、
前記ユーザ端末は、前記表示コンテンツとともに、前記コンテンツ配信装置から配信された関連コンテンツを前記表示部に表示することを特徴とするコンテンツ配信システム。
【請求項８】
表示部を備えるユーザ端末と、前記ユーザ端末における表示対象である表示コンテンツに関連する関連コンテンツを前記ユーザ端末に配信するコンテンツ配信装置とを備え、
前記コンテンツ配信装置は、
前記ユーザ端末のユーザによる前記表示コンテンツにおける前記表示部に表示される表示エリアを移動させる閲覧操作に応じた前記表示エリアの位置に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備え、
前記ユーザ端末は、前記表示コンテンツとともに、前記コンテンツ配信装置から配信された関連コンテンツを前記表示部に表示し、
前記制御部は、前記取得部により取得された閲覧操作情報に基づき、前記表示コンテンツの特定エリアを表示するために、前記表示コンテンツにおける前記表示部に表示される表示エリアを所定の方向にスライドさせるスクロール操作と、前記表示エリアを前記所定の方向とは逆方向にスライドさせるスクロール操作とが行われていると判定した場合には、前記特定エリアを前記興味エリアとして特定することを特徴とするコンテンツ配信システム。
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
表示部を備えるユーザ端末における表示対象である表示コンテンツに関連する関連コンテンツを前記ユーザ端末に配信するコンテンツ配信装置であって、
前記ユーザ端末のユーザによる前記表示コンテンツにおける前記表示部に表示される表示エリアを移動させる閲覧操作に応じた前記表示エリアの位置および前記表示エリアの表示時間に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備え、
前記制御部は、前記表示コンテンツのテキスト量に基づき、前記表示コンテンツの全体の閲覧に要する読み終わり時間を推定し、前記取得部により取得された閲覧操作情報に基づき、前記表示コンテンツの第１の位置から第２の位置までを表示するのに、前記推定した読み終わり時間と、前記第１の位置と前記第２の位置とに応じて設定される所定時間以上経過したと判定した場合には、前記第１の位置から前記第２の位置までのエリアを前記興味エリアとして特定することを特徴とするコンテンツ配信装置。
【請求項２】
表示部を備えるユーザ端末と、前記ユーザ端末における表示対象である表示コンテンツに関連する関連コンテンツを前記ユーザ端末に配信するコンテンツ配信装置とを備え、
前記コンテンツ配信装置は、
前記ユーザ端末のユーザによる前記表示コンテンツにおける前記表示部に表示される表示エリアを移動させる閲覧操作に応じた前記表示エリアの位置および前記表示エリアの表示時間に関する情報である閲覧操作情報を前記ユーザ端末から取得する取得部と、
前記取得部により取得された閲覧操作情報に基づき、前記表示コンテンツにおける前記ユーザが興味のある興味エリアを特定し、該特定した興味エリアのコンテンツに関連する関連コンテンツを前記ユーザ端末に配信する制御部と、を備え、
前記ユーザ端末は、前記表示コンテンツとともに、前記コンテンツ配信装置から配信された関連コンテンツを前記表示部に表示し、
前記制御部は、前記表示コンテンツのテキスト量に基づき、前記表示コンテンツの全体の閲覧に要する読み終わり時間を推定し、前記取得部により取得された閲覧操作情報に基づき、前記表示コンテンツの第１の位置から第２の位置までを表示するのに、前記推定した読み終わり時間と、前記第１の位置と前記第２の位置とに応じて設定される所定時間以上経過したと判定した場合には、前記第１の位置から前記第２の位置までのエリアを前記興味エリアとして特定することを特徴とするコンテンツ配信システム。